(57)【要約】【課題】図柄表示装置の前側の前後スペースを拡大することが可能な遊技機を提供する。【解決手段】図柄表示装置１８のパネルケース３８を構成する後ケース体４５に、液晶パネル３７の裏面を後側に露出する後開口部４５ａが形成される。パネルケース３８の裏側に、表示制御装置４２が取り付けられる。表示制御装置４２の第１基板ケース６４は、パネルケース３８に取り付けた状態で、第１基板ケース６４の前端部が後開口部４５ａ内に位置するよう構成される。すなわち、第１基板ケース６４の前端部が後開口部４５ａ内に臨む前後寸法だけ、第１基板ケース６４の図柄表示装置１８の後方への突出寸法を小さく抑えることができる。【選択図】図１１
2014061028.tif 000002
【特許請求の範囲】
【請求項１】
各種図柄を可変表示可能な表示手段をケースに収容した図柄表示装置に前後に重なるように部品が配設され、所定の遊技媒体を用いて遊技が行なわれると共に、特定条件が成立することにより遊技者に有利な特別遊技が付与されるよう構成された遊技機において、
前記ケースの後壁に、前後方向に開口して前記表示手段が露出する開口部が設けられ、
前記部品の前端部が前記開口部内に位置する状態でケースに該部品が配設された
ことを特徴とする遊技機。
【請求項２】
前記部品は、制御基板を収容した基板ケースであって、
前記基板ケースの前壁および後壁に、基板ケースの内外に貫通する複数の通孔が形成された請求項１記載の遊技機。
【請求項３】
前記基板ケースおよび表示手段の対向面の少なくとも一方の面に、他方の面に当接して両面間に隙間を画成する突起を設けると共に、前記基板ケースの表示手段と対向する面に、後側に凹んで前側および上側に開放する凹部が形成された請求項２記載の遊技機。
【請求項４】
前記基板ケースの前後何れか一方の内面から内方に向けて突設した装着部に、突出端側に開口する通孔が形成されると共に、該通孔内に係合部が形成され、
前記装着部に外嵌した弾性体によって基板ケースの一方の内面から離間した状態で制御基板が支持され、
前記装着部の係合部に係合可能な被係合部が設けられた挿通部および該挿通部の一端に設けたフランジ部を備えた固定手段を、前記挿通部を装着部の通孔に挿通して被係合部を係合部に係合することで、前記フランジ部によって制御基板を弾性体を介して基板ケースの一方の内面に対して位置決めするよう構成された請求項２または３記載の遊技機。
【請求項５】
前記ケースは、
前記表示手段の表示部を前側から視認可能な前ケース体と、
前記開口部が設けられた枠状の後ケース体とから構成され、
前記表示手段を挟んで両ケース体を前後から組み付けることで、表示手段は両ケース体で外周縁部が支持された状態でケース内に収容された請求項１〜４の何れか一項に記載の遊技機。
【発明の詳細な説明】
【技術分野】
【０００１】
本発明は、図柄表示装置を備えた遊技機に関するものである。
【背景技術】
【０００２】
代表的な遊技機であるパチンコ機は、前後に開口する矩形枠状に形成されて遊技店の設置枠台に固定される固定枠としての外枠と、該外枠に対して開閉可能に支持されて遊技盤を着脱可能に保持する本体枠としての中枠と、該中枠の前側に開閉可能に支持されてパチンコ機前面を装飾すると共に遊技盤を透視保護する装飾枠としての前枠とを基本的に備えている。またパチンコ機では、前記遊技盤の盤面に画成した遊技領域の略中央位置に枠状の装飾部材(所謂センター役物)が配設されて、該装飾部材の開口から液晶式やドラム式等の図柄表示装置を臨ませ、この図柄表示装置で図柄組み合わせゲームやリーチ演出等の遊技演出を行なうよう構成されている。更に、パチンコ機では、図柄表示装置における表示部の前側を移動する動作を行なう可動体を備えた演出装置を遊技盤に配設し、該可動体を前記図柄表示装置で行なわれる遊技演出に合わせて表示部の前側で動作させることにより、視覚的な演出効果を向上させ、遊技の興趣を増大するようにしたパチンコ機が知られている(例えば、特許文献１参照)。
【先行技術文献】
【特許文献】
【０００３】
【特許文献１】特開２００９−１１２８４８号公報
【発明の概要】
【発明が解決しようとする課題】
【０００４】
近年では、視覚的な演出効果を一層高めるために、前記可動体を大型化してインパクトのある演出を行なう傾向にある。このように大型の可動体を採用する場合は、図柄表示装置における表示部の前側に前後方向の大きなスペースが必要となる。ここで、前枠に配設されたガラス板と遊技盤の前面との間には、パチンコ球を流下する隙間を確保する必要から、図柄表示装置における表示部の前側の前後スペースを大きくする場合は、遊技盤の配設位置を前側にずらすことは困難であり、図柄表示装置の配設位置を後側にずらすことで対応する必要がある。
【０００５】
また、遊技場(所謂ホール)の設置枠台に対しては、裏側を夫々対向させた状態でパチンコ機が取り付けられるため、パチンコ機の前後の大きさは限られている。一方、前記図柄表示装置の裏側には、該図柄表示装置の表示を制御する制御基板を備える表示制御装置や、表示制御装置に演出用の制御信号を出力すると共にパチンコ機に配設される演出装置や発光装置等の各種電気部品を制御する制御基板を備える統括制御装置等の部品が配設されている。従って、図柄表示装置の配設位置を後側にずらすと、図柄表示装置の裏側に配設した部品が対向配置したパチンコ機と干渉してしまう畏れがある。すなわち、従来のパチンコ機では、図柄表示装置の前側に確保可能なスペースを拡大することは困難であった。
【０００６】
すなわち本発明は、従来の技術に内在する前記問題に鑑み、これらを好適に解決するべく提案されたものであって、図柄表示装置の前側の前後スペースを拡大することが可能な遊技機を提供することを目的とする。
【０００７】
前記課題を克服し、所期の目的を達成するため、本願の請求項１に係る発明は、
各種図柄を可変表示可能な表示手段(37)をケース(38)に収容した図柄表示装置(18)に前後に重なるように部品(64,84)が配設され、所定の遊技媒体を用いて遊技が行なわれると共に、特定条件が成立することにより遊技者に有利な特別遊技が付与されるよう構成された遊技機において、
前記ケース(38)の後壁(45c)に、前後方向に開口して前記表示手段(37)が露出する開口部(45a)が設けられ、
前記部品(64,84)の前端部が前記開口部(45a)内に位置する状態でケース(38)に該部品(64,84)が配設されたことを要旨とする。
【０００８】
請求項１に係る発明によれば、ケースに開設した開口部内に前端部が位置するように部品を取り付けるよう構成したので、部品のケース後方への突出寸法を小さくすることができる。すなわち、図柄表示装置を後側にずらして前側のスぺースを拡大することができる。
【０００９】
請求項２に記載の発明では、前記部品は、制御基板(63,83)を収容した基板ケース(64,84)であって、
前記基板ケース(64,84)の前壁(65a)および後壁(66a,86a)に、基板ケース(64,84)の内外に貫通する複数の通孔(76,95)が形成されたことを要旨とする。
請求項２に係る発明によれば、表示手段で発生した熱を基板ケースの通孔を介して外部に放出することができるので、基板ケースを表示手段に近づけて配置することができ、部品のケース後方への突出寸法をより小さくし得る。
【００１０】
請求項３に記載の発明では、前記基板ケース(64,84)および表示手段(37)の対向面の少なくとも一方の面に、他方の面に当接して両面間に隙間を画成する突起(75,94)を設けると共に、前記基板ケース(64,84)の表示手段(37)と対向する面に、後側に凹んで前側および上側に開放する凹部(99)が形成されたことを要旨とする。
請求項３に係る発明によれば、開口部に臨ませた基板ケースと表示手段との間に一定の隙間を確保して熱がこもるのを防止し得る。また、基板ケースの凹部を介して表示手段から発生した熱を効率的に放熱することができる。
【００１１】
請求項４に記載の発明では、前記基板ケース(64,84)の前後何れか一方の内面から内方に向けて突設した装着部(77)に、突出端側に開口する通孔(77a)が形成されると共に、該通孔(77a)内に係合部(77b)が形成され、
前記装着部(77)に外嵌した弾性体(79)によって基板ケース(64,84)の一方の内面から離間した状態で制御基板(63,83)が支持され、
前記装着部(77)の係合部(77b)に係合可能な被係合部(82a)が設けられた挿通部(81a)および該挿通部(82b)の一端に設けたフランジ部(81b)を備えた固定手段(80)を、前記挿通部(82b)を装着部(77)の通孔(77a)に挿通して被係合部(82a)を係合部(77b)に係合することで、前記フランジ部(81b)によって制御基板(63,83)を弾性体(79)を介して基板ケース(64,84)の一方の内面に対して位置決めするよう構成されたことを要旨とする。
請求項４に係る発明によれば、制御基板を基板ケースに対して非接触状態で支持する弾性体が嵌挿される装着部をケース内方に向けて突設したので、該装着部がケース外に突出することで基板ケースの前後方向の厚み寸法が大きくなるのを抑制することができるので、図柄表示装置の前側のスペースをより拡大することが可能となる。
【００１２】
請求項５に記載の発明では、前記ケース(38)は、
前記表示手段(37)の表示部(18a)を前側から視認可能な前ケース体(44)と、
前記開口部(45a)が設けられた枠状の後ケース体(45)とから構成され、
前記表示手段(37)を挟んで両ケース体(44,45)を前後から組み付けることで、表示手段(37)は両ケース体(44,45)で外周縁部が支持された状態でケース(38)内に収容されたことを要旨とする。
請求項５に係る発明によれば、前後のケース体を組み付けることで、表示手段を裏面が開口部に臨む状態で支持できる。
【発明の効果】
【００１３】
本発明に係る遊技機によれば、図柄表示装置の前側のスペースを拡大することができる。
【図面の簡単な説明】
【００１４】
【図１】本発明の実施例に係るパチンコ機を示す正面図である。
【図２】実施例のパチンコ機を、中枠に対して前枠を開放した状態で示す概略斜視図であって、前枠の透視保護板や遊技盤における案内レールの内側に配設される各種遊技部品を省略している。
【図３】実施例に係る遊技盤を示す概略正面図である。
【図４】実施例に係る設置部材から図柄表示装置を取り外した状態で示す概略背面図である。
【図５】実施例に係る遊技盤、設置部材および図柄表示装置を組み付けた状態で、設置部材内に配設される各種遊技部品を省略して示す概略縦断面図である。
【図６】実施例に係る図柄表示装置に表示制御装置および統括制御装置を取り付けた状態で示す背面図である。
【図７】実施例に係る図柄表示装置から表示制御装置および統括制御装置を取り外した状態を後側から見た概略斜視図である。
【図８】実施例に係る図柄表示装置を分解して前側から見た概略斜視図である。
【図９】実施例に係る図柄表示装置を分解して後側から見た概略斜視図である。
【図１０】実施例に係る図柄表示装置の概略縦断面図である。
【図１１】図６のＡ−Ａ線で示す概略断面図である。
【図１２】図６のＢ−Ｂ線で示す概略断面図である。
【図１３】図６のＣ−Ｃ線で示す概略断面図である。
【図１４】実施例に係る表示制御装置における弾性体の配設位置を示す要部概略縦断面図である。
【図１５】実施例に係る表示制御装置を分解して前側から見た概略斜視図である。
【図１６】実施例に係る表示制御装置を分解して後側から見た概略斜視図である。
【図１７】実施例に係る統括制御装置を分解して前側から見た概略斜視図である。
【図１８】実施例に係る統括制御装置を分解して後側から見た概略斜視図である。
【図１９】実施例に係る弾性体を示すものであって、(ａ)は概略斜視図であり、(ｂ)は側面図である。
【図２０】表示制御装置における弾性体の取付構造の変更例を示す概略縦断面図である。
【図２１】表示制御装置における第１基板ケースの変更例を示す概略斜視図である。
【発明を実施するための形態】
【００１５】
次に、本発明に係る遊技機につき、好適な実施例を挙げて、添付図面を参照しながら以下詳細に説明する。なお、実施例では、遊技媒体としてパチンコ球(遊技球)を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１６】
(パチンコ機１０について)
実施例に係るパチンコ機１０は、図１または図２に示すように、前後に開口する矩形枠状に形成されて遊技店の図示しない設置枠台に縦置き姿勢で設置される固定枠としての外枠１１の開口前面側に、遊技盤２１を着脱可能に保持する本体枠としての中枠１２が開閉および着脱可能に組み付けられて、該遊技盤２１の裏側に、各種図柄を変動表示可能な図柄表示装置１８が着脱可能に配設されている。また、前記中枠１２の前面側には、前記遊技盤２１を透視保護するガラス板や透明な合成樹脂材により形成された透視保護板１３ｂで前後に開口する窓部１３ａを覆うよう構成された装飾枠としての前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。実施例では、前記図柄表示装置１８としては、後述するように各種図柄を表示可能な液晶パネル３７をパネルケース３８に収容した液晶表示装置が採用される。また、前記上球受け皿１４は、前記前枠１３と別体に形成してもよい。なお、球受け皿については、上下２枚の球受け皿１４,１５を備えるものに限らず、１枚の球受け皿のみを設ける構成であってもよい。
【００１７】
前記前枠１３の右下方位置には、前記中枠１２に配設された打球発射装置１６を作動する操作ハンドル１７が設けられている。前記操作ハンドル１７は、左回転方向に付勢された操作レバー１７ａを備えており、該操作レバー１７ａを右回転するよう遊技者が回動操作することで打球発射装置１６が作動されて、前記上球受け皿１４に貯留されたパチンコ球が前記遊技盤２１に向けて発射されるようになっている。
【００１８】
前記パチンコ機１０の裏側には、図示しないが、パチンコ機１０の電源制御を行なう電源装置、球払出し装置を駆動制御する払出し制御装置、打球発射装置１６を駆動制御する発射制御装置、外部端子に接続されるインターフェース基板等が配設されている。そして、これら各装置や基板は、前記遊技盤２１の裏側に配設される主制御装置３１(図４参照)に配線接続され、該主制御装置３１からの制御信号に基づいて所定の制御を実行するように構成される。
【００１９】
(外枠１１について)
前記外枠１１は、上下左右の４つの枠部材を相互に組み付けることで縦長の矩形枠体として構成されるものであって、４つの枠部材で画成される開口領域に対し、前記中枠１２が開閉および着脱自在に支持されて、外枠１１に対して中枠１２を閉成することで、該外枠１１の内側に中枠１２が収容されるよう構成される。
【００２０】
(中枠１２について)
図２に示すように、前記中枠１２は、上縁をなす上枠部材１２ａと、下縁をなし、打球発射装置１６、各種制御装置(図示せず)を設置する設置部として機能する下枠部材１２ｂと、左縁(一方の側縁)をなす左枠部材１２ｃと、右縁(他方の側縁)をなす右枠部材１２ｄとから構成されて、これら上下左右の枠部材１２ａ,１２ｂ,１２ｃ,１２ｄを組み付けた際に、全体が外枠１１の開口領域に整合する大きさに形成される。そして、外枠１１に対して中枠１２の左枠部材１２ｃ側が、ヒンジ機構１９を介して回動自在に支持されて、右枠部材１２ｄが施錠装置(図示せず)により施錠されるようになっている。また、中枠１２には、上下左右の枠部材１２ａ,１２ｂ,１２ｃ,１２ｄを組み付けることで前後に開口する遊技盤保持部２０が画成され、該遊技盤保持部２０に遊技盤２１が着脱自在にセット保持される。図１,図２において、遊技盤２１の前面に配設されている各種の遊技部品は、後述する案内レール２６を除いて図示省略してある。また、図２においては、前枠１３に配設されている透視保護板１３ｂも図示省略している。
【００２１】
前記遊技盤保持部２０を画成する各枠部材１２ａ,１２ｂ,１２ｃ,１２ｄの内面には、内側に突出する段部(図示せず)が夫々設けられている。また、上枠部材１２ａの下面および下枠部材１２ｂにおける左端部の上面には、前記左枠部材１２ｃにおける段部の前面から前側に遊技盤２１の厚みと略同寸法だけ離間する位置に、内側(遊技盤保持部２０側)に突出する固定突部２２が夫々が突設されている。また、上枠部材１２ａおよび下枠部材１２ｂの右端部には、段部との間で遊技盤２１の右側上下端部を挟持する固定具２３が夫々設けられている。すなわち、中枠１２に対して遊技盤２１は、遊技盤保持部２０に対して前側から斜めに遊技盤２１を臨ませて、該遊技盤２１の左側端部を前記段部と固定突部２２,２２との間に差し込んだ状態で、遊技盤２１の右側端部を押し込んで該遊技盤２１の左側端部を中心に回動させて遊技盤２１の全体を遊技盤保持部２０に臨ませ、該遊技盤２１の右端部の裏面を段部に当接させる。そして、前記固定具２３,２３を遊技盤２１の右側上下端部の前面に当接して段部との間で挟持することで、遊技盤２１は中枠１２の遊技盤保持部２０内に組み付けられる。
【００２２】
(遊技盤２１について)
前記遊技盤２１は、図２および図３に示すように、前記中枠１２の遊技盤保持部２０に整合する略正方形に形成された所定板厚の木材板の表面に、各種絵柄等が描かれた合成樹脂シート(図示せず)等を貼付けて装飾した板部材であって、該遊技盤２１の表面(盤面)に配設された略円形状に湾曲形成する案内レール２６により、パチンコ球が流下可能な遊技領域２１ａが画成されている。前記遊技盤２１の裏面に、図４,図５に示す如く、前記図柄表示装置１８が着脱自在に取り付けられる設置部材２７が配設されており、該設置部材２７に形成された前後に開口する開口部２７ａを介して図柄表示装置１８の表示面(表示部)１８ａを前側から視認し得るよう構成される。遊技盤２１には、前記案内レール２６で囲まれた遊技領域２１ａの略中央の大部分が開口する装着口(図示せず)に、前後に開口する開口部２８ａが形成された枠状装飾部材２８が取り付けられ、該枠状装飾部材２８の開口部２８ａを介して図柄表示装置１８の表示面１８ａが遊技盤２１の前面側に臨むよう構成されている。
【００２３】
前記遊技盤２１の前面には、遊技領域２１ａ内にパチンコ球が入賞可能な始動入賞装置２４、特別入賞装置２５等の各種入賞装置および多数本の遊技釘２９や風車３０等の各種遊技部品が配設されている。前記始動入賞装置２４には、遊技領域２１ａを流下するパチンコ球が入賞可能な始動入賞口が設けられ、該始動入賞口へ入賞したパチンコ球が始動入賞センサ(図示せず)で検出されることで、図柄表示装置１８の表示面１８ａで図柄変動が開始されると共に、所定数(例えば５個)のパチンコ球が賞球として前記上下の球受け皿１４,１５に払い出される。また、前記特別入賞装置２５は、入賞口が開閉扉で常には閉鎖されており、前記図柄表示装置１８での図柄変動の結果、図柄表示装置１８に所定の図柄組み合わせ(例えば同一図柄の三つ揃い等)で図柄が停止表示されることで所謂「大当り」が発生し、これにより開閉扉が開放するよう作動制御されて、入賞口への入賞により多数の賞球を獲得し得る機会が遊技者に与えられるようになっている。実施例では、図柄表示装置１８に大当りを発生させる図柄組み合わせが停止表示されることが特定条件の成立であり、特別入賞装置２５の入賞口が開放して多数の賞球を獲得し得る機会が遊技者に与えられる大当りが特別遊技となる。
【００２４】
(設置部材２７について)
前記設置部材２７は、前記遊技盤２１の外郭形状より小さい形状に形成された略矩形状の背面板３２と、該背面板３２の外周縁部から前方に突出する画壁部３３とから前方に開口した箱状に形成されて、該画壁部３３の開口前端部を遊技盤２１の裏面に当接させた状態で、当該遊技盤２１と設置部材２７とがネジ止め固定される(図５参照)。そして、前記設置部材２７において前記遊技盤２１との間に画成される空間に、各種の演出装置等が設置されて、設置部材２７を基材とする１つのユニットとして扱い得るようになっている。また、前記設置部材２７の背面板３２には、前記枠状装飾部材２８の開口部２８ａと前後に整列する位置に、略矩形状の開口部２７ａが前後に開口するよう開設されると共に、該背面板３２の裏側に前記図柄表示装置１８が着脱自在に取り付けられて、該開口部２７ａ,２８ａを介して図柄表示装置１８の表示面１８ａが遊技盤２１の前側に臨むようになっている。
【００２５】
前記設置部材２７の背面板３２の裏側には、前記図柄表示装置１８の設置領域Ｓが、規制壁３４によって画成されている。この規制壁３４は、図４に示す如く、開口部２７ａの上側に設けられて左右方向に延在する上規制壁３４ａと、開口部２７ａの下側に設けられて左右方向に延在する下規制壁３４ｂと、開口部２７ａの左側(図４では右側)に設けられて上下の規制壁３４ａ,３４ｂに接続する左規制壁３４ｃ,３４ｃとで構成される。前記左規制壁３４ｃ,３４ｃには、前記図柄表示装置１８に設けた後述する係止突部３９,３９を挿脱可能な差込み口３４ｄ,３４ｄａが設置領域Ｓ側に開口するよう開設されている。また背面板３２には、開口部２７ａの右側において上下に離間する２箇所に支持台部３５,３５が設けられている。そして、前記係止突部３９,３９を差込み口３４ｄ,３４ｄに挿入して左規制壁３４ｃ,３４ｃに係合すると共に、図柄表示装置１８に設けた後述する支持部４０,４０を支持台部３５,３５の後端に当接した状態で、支持部４０,４０を支持台部３５,３５にロック部材３６で夫々固定することで、前記図柄表示装置１８が設置領域Ｓに位置決め固定されるようになっている。設置領域Ｓに位置決め固定された図柄表示装置１８は、その表示面１８ａが設置部材２７の前記開口部２７ａに臨んで前側からの視認が可能な状態となる(図５参照)。
【００２６】
(図柄表示装置１８について)
図６〜図１０に示す如く、前記設置部材２７に配設される図柄表示装置１８は、各種図柄を表示可能な液晶パネル(表示手段)３７がパネルケース(ケース)３８に収容されたユニット部材であって、パネルケース３８の左側面に係止突部３９が上下に離間する２箇所に設けられている。この係止突部３９は、前記設置部材２７の裏側に設けられた対応する差込み口３４ｄに挿入されて左規制壁３４ｃと係脱可能に係止される。また、前記パネルケース３８の右側部の上下端部に、右方へ突出する支持部４０が夫々形成されており、設置部材２７の裏側に設けた前記支持台部３５に、ロック部材３６を介して着脱自在に取り付けられるよう構成されている。
【００２７】
前記パネルケース３８の裏側に、前記液晶パネル３７のバックライトを制御するインバータ基板４１、液晶パネル３７の表示を制御する表示制御装置４２およびパチンコ機１０に配設される各種の可動装置や発光装置を制御する統括制御装置４３が配設されており、該統括制御装置４３の制御信号に基づいて表示制御装置４２が制御を実行して液晶パネル３７の表示面１８ａでリーチ演出等の遊技演出が行なわれる。また、可動体を動作して演出を行なう可動装置およびＬＥＤ等の発光体を点灯や点滅して発光演出を行なう発光装置は、統括制御装置４３の制御信号に基づいて可動体を動作すると共に発光体を点灯や点滅するようになっている。なお、前記統括制御装置４３は、前記主制御装置３１に配線接続され、該主制御装置３１からの制御信号に基づいて制御を実行するよう設定される。
【００２８】
(パネルケース３８の前ケース体４４について)
前記パネルケース３８は、図８〜図１０に示す如く、前ケース体４４と後ケース体４５とから構成されて、液晶パネル３７を挟んで両ケース体４４,４５を前後から組み付けることで、液晶パネル３７がパネルケース３８内に収容された状態で保持されるよう構成される。前ケース体４４は、略矩形状の前開口部４４ａが前後方向に開口する枠状体であって、該前ケース体４４は、液晶パネル３７の外周を囲繞する枠状の前支持壁部４４ｂと、該前支持壁部４４ｂの前端部に形成されて内側に延出し、前記液晶パネル３７における表示面１８ａの縁部に当接する前フレーム部４４ｃ(図柄表示装置１８の前面)とから構成されており、前フレーム部４４ｃによって前開口部４４ａが画成されている。なお、前記液晶パネル３７の前面には、図１０に示す如く、前ケース体４４の前開口部４４ａと対応する領域に薄板状のレンズ板４６が貼着されている。前記前支持壁部４４ｂにおける上下および左右の各内面には、複数の支持リブ４７が離間して設けられ、これら複数の支持リブ４７に液晶パネル３７の外周が当接することで、該液晶パネル３７が位置決めされるようになっている。なお、支持リブ４７は、前ケース体４４を補強する補強リブとしても機能している。
【００２９】
図８に示す如く、前記前支持壁部４４ｂにおける左辺部に、上下方向に離間して複数(実施例では２つ)の前係止半体３９ａ,３９ａが外側方に延出するように設けられると共に、該前支持壁部４４ｂにおける右辺部に、外側方に延出する前固定延出部４８が設けられている。前固定延出部４８には、上下方向に離間して２つの前記支持部４０,４０が形成されており、各支持部４０に前記ロック部材３６が夫々装着されている。なお、前係止半体３９ａ,３９ａおよび前固定延出部４８の前面は、前フレーム部４４ｃの前面(前ケース体４４の前面)と面一となっており、前記設置部材２７の設置領域Ｓに図柄表示装置１８を取り付けた際に、前フレーム部４４ｃ、前係止半体３９ａおよび前固定延出部４８の前面が前記背面板３２に面接触するよう構成される。
【００３０】
前記前支持壁部４４ｂの上辺部における左右両端部および下辺部における右端部に、前開口部４４ａ側に所定厚みで凹む凹所４９が夫々形成されると共に、該凹所４９に係合突起４９ａが夫々突設され、各係合突起４９ａが後ケース体４５の後述する係合孔部５４ａに係合することで、前後のケース体４４,４５が組み付けられるよう構成される。なお、係合突起４９ａは、前支持壁部４４ｂの外周面から突出しない寸法に設定される。また、前ケース体４４には、複数のネジ孔５０が設けられ、係合突起４９ａと係合孔部５４ａとの係合下に組み付けられた前後のケース体４４,４５は、後ケース体４５の後述する通孔５２に後側から挿通されたネジを前ケース体４４の対応するネジ孔５０に螺挿することで固定されるようになっている。
【００３１】
(パネルケース３８の後ケース体４５について)
前記後ケース体４５は、図８および図９に示す如く、略矩形状の後開口部(開口部)４５ａが前後方向に開口する枠状体であって、該後ケース体４５は、前記液晶パネル３７の外周を囲繞する枠状の後支持壁部４５ｂと、該後支持壁部４５ｂの後端部に形成されて内側に延出し、前記液晶パネル３７の裏面の縁部に対向する後フレーム部４５ｃとから構成されており、後フレーム部４５ｃによって後開口部４５ａが画成されている。すなわち、後フレーム部４５ｃが、パネルケース３８の後壁を構成している。なお、実施例では前記液晶パネル３７の上辺および下辺に、上辺または下辺から裏面に亘って当接するＬ状の緩衝部材５１が装着されており、液晶パネル３７の裏面に対して後フレーム部４５ｃは緩衝部材５１を介して当接するようになっている(図１２参照)。
【００３２】
前記後支持壁部４５ｂの左辺部における前記前ケース体４４の各前係止半体３９ａと対応する位置に、該前係止半体３９ａを収容可能な後係止半体３９ｂが夫々設けられている。後係止半体３９ｂは、図８に示す如く、後支持壁部４５ｂから外方に延出する部分を、前係止半体３９ａを収容可能な大きさで後側へ凹ませたものであって、前後のケース体４４,４５を組み付けた状態で、後係止半体３９ｂに前係止半体３９ａが収容されて、前後の係止半体３９ａ,３９ｂによって前記係止突部３９が構成されるようになっている。なお、後係止半体３９ｂに前係止半体３９ａが収容された状態で、前係止半体３９ａの前端と後係止半体３９ｂの前端とが面一となるよう設定してある。また、前後のケース体４４,４５を固定するための前記ネジ孔５０が前係止半体３９ａに形成されると共に後係止半体３９ｂに通孔５２が形成されており、該通孔５２に後側から挿通したネジをネジ孔５０に螺挿することで、前後の係止半体３９ａ,３９ｂが位置決め固定される。
【００３３】
前記後支持壁部４５ｂの右縁には、前記前ケース体４４における支持部４０,４０の間に臨む前固定延出部４８の後側に重なる後固定延出部５３が設けられている。前後のケース体４４,４５を固定するための前記ネジ孔５０が前固定延出部４８に形成されており(図８参照)、後固定延出部５３に設けた通孔５２に後側から挿通したネジを前固定延出部４８のネジ孔５０に螺挿することで、前後の固定延出部４８,５３が位置決め固定されるよう構成される。なお、前ケース体４４と後ケース体４５とを固定するためのネジ孔５０および通孔５２は、前後の係止半体３９ａ,３９ｂや前後の固定延出部４８,５３以外の部位にも設けられて、枠状の前後のケース体４４,４５は上下および左右の枠部が強固に固定されるように構成してある。
【００３４】
前記後支持壁部４５ｂの上縁部および下縁部には、前支持壁部４４ｂに設けられた各凹所４９に対応する位置に前方に延出する係合延出部５４が設けられると共に、該係合延出部５４には上下方向に開口する係合孔部５４ａが形成されている(図８参照)。そして、前記液晶パネル３７を挟んで前側に位置する前ケース体４４の各凹所４９に、後側に位置する後ケース体４５の対応する係合延出部５４を収容した状態で、係合孔部５４ａに前記係合突起４９ａが挿通されて該係合突起４９ａが係合延出部５４に係合することで前後のケース体４４,４５が組み付けられて、両ケース体４４,４５によって液晶パネル３７は外周縁部が支持された状態でケース内に収容保持される。そして、前後のケース体４４,４５内に液晶パネル３７を収容した図柄表示装置１８の組み立て状態において、図１０に示す如く、液晶パネル３７の表示面１８ａが前ケース体４４の前開口部４４ａに臨んで前側から視認可能に構成されると共に、該液晶パネル３７の裏面は後ケース体４５の後開口部４５ａに臨んで後側に露出する。なお、係合延出部５４の厚みは、凹所４９の深さ寸法と略同じに設定されて、該凹所４９に収容された係合延出部５４が前ケース体４４の外周面から突出しないよう構成される。また、係合延出部５４の後支持壁部４５ｂからの前方への延出寸法は、前後のケース体４４,４５を組み付けた状態で、該係合延出部５４の前端が前ケース体４４の前面から前方へ突出しないように設定してある。
【００３５】
(後ケース体４５における制御装置４２,４３の取付部構造について)
前記後ケース体４５には、図６に示す如く、前記表示制御装置４２および統括制御装置４３が左右に並んで取り付けられるように、後フレーム部４５ｃの右側に偏った位置に表示制御装置用の第１取付部５５が設けられると共に、左側に偏った位置に統括制御装置用の第２取付部５６が設けられている。
【００３６】
(第１取付部５５について)
前記第１取付部５５は、図８,図９に示す如く、後フレーム部４５ｃにおける下辺部に設けられた第１被係合部５７と、後フレーム部４５ｃにおける上辺部に設けられた第１被連結部５８とを備える。第１被係合部５７は、前方および上方に開口する凹部であって、表示制御装置４２の後述する第１係合部７２が係脱自在に差込まれて係合するよう構成される。また第１被連結部５８は、後フレーム部４５ｃから後方に向けて突出する突部の突出端に係合孔を形成したものであって、表示制御装置４２の後述する第１連結具７４が第１被連結部５８に係脱自在に係止されるよう構成してある。なお、第１被連結部５８に表示制御装置４２の後述する第１連結部７３が第１連結具７４を介して連結された状態で、表示制御装置４２における後述する第１基板ケース６４の前面と液晶パネル３７の裏面との間に隙間を画成するよう構成されている。
【００３７】
前記後フレーム部４５ｃの下辺部には、第１被係合部５７を挟む左右両側に、下側へ凹む規制凹部５９が夫々設けられており、表示制御装置４２に設けた規制突部６９が対応する規制凹部５９内に位置することで、図柄表示装置１８(パネルケース３８)に対する表示制御装置４２(第１基板ケース６４)の下方および左右方向の位置規制がなされるよう構成してある。また、後フレーム部４５ｃにおける上辺部には、図８に示す如く、第１被連結部５８を挟む左右両側に、下方(後開口部側)および前後方向に開口する切欠部６０,６０が形成されており、該切欠部６０,６０によって表示制御装置４２に設けた後述する第１締結部７１,７１が後フレーム部４５ｃに干渉するのを防ぐよう構成されている。
【００３８】
(第２取付部５６について)
前記第２取付部５６は、図８,図９に示す如く、後フレーム部４５ｃにおける下辺部に設けられた第２被係合部６１と、後フレーム部４５ｃにおける上辺部に設けられた第２被連結部６２とを備える。第２被係合部６１は、実施例では左右方向に離間して２つ設けられ、各第２被係合部６１は、前方および上方に開口する凹部であって、統括制御装置４３の後述する第２係合部８９が係脱自在に差込まれて係合するよう構成される。また第２被連結部６２は、後フレーム部４５ｃから後開口部４５ａの内側に向けて延出された延出部から後方に向けて突出する突部の突出端に係合孔を形成したものであって、統括制御装置４３の後述する第２連結具９３が第２被連結部６２に係脱自在に係止されるよう構成してある。なお、第２被連結部６２の後端は、後フレーム部４５ｃの裏面より後方に位置しており、該第２被連結部６２に統括制御装置４３の後述する第２連結部９２が第２連結具９３を介して連結された状態で、統括制御装置４３における後述する第２基板ケース８４の前面と液晶パネル３７の裏面との間に隙間を画成するよう構成されている。
【００３９】
(表示制御装置４２について)
前記表示制御装置４２は、前記液晶パネル３７での表示を制御する表示制御基板(制御基板)６３を、図１５,図１６に示す第１基板ケース(基板ケース,部品)６４に収容保護してケース単位で取り扱い得るようになっている。この第１基板ケース６４は、前記図柄表示装置１８における液晶パネル３７の裏面に対向するようセットされる皿状の第１ベース部材６５と、この第１ベース部材６５の開口面側(後側)に対して着脱可能に組み付けられる第１カバー部材６６とから構成され、両者共に透明な合成樹脂材により一体成形されて、前記表示制御基板６３を第１カバー部材６６内に敷設状態で収容すると共に、前記第１ベース部材６５で覆蓋保護するよう構成される。
【００４０】
(第１基板ケース６４について）
図１１,図１３に示す如く、前記第１ベース部材６５は、前記図柄表示装置１８における前記後ケース体４５の後開口部４５ａに臨む液晶パネル３７に対向する矩形の平板状に形成された前壁６５ａと、該前壁６５ａの上下および左右の端縁から後方に向けて立設された壁部６５ｂとから、後方に開口する矩形皿状に形成されている。また、図１５,図１６に示す如く、第１ベース部材６５の下側の壁部６５ｂに、左右方向に離間して複数(実施例では２つ)の第１係合片６７が下方(外方)に延出するよう形成されると共に、該第１ベース部材６５の上側の壁部６５ｂに第１係止爪６８が上方(外方)に向けて突設されている。これに対し、前記第１カバー部材６６は、第１ベース部材６５の前壁６５ａと対向する後壁６６ａと、該後壁６６ａの上下および左右の端縁から前方に向けて立設された壁部６６ｂとから、前方に開口する矩形皿状に形成されている。また、第１カバー部材６６の下側の壁部６６ｂにおける前記各第１係合片６７と対応する位置に、該第１係合片６７を挿脱可能な係合孔６９ａが形成されると共に、該第１カバー部材６６の上側の壁部６６ｂには、前記第１係止爪６８と対応する位置に、該第１係止爪６８が係脱自在に係止される係止孔７０が形成されている。そして、各第１係合片６７を対応する係合孔６９ａに挿通して第１カバー部材６６に下端部が係合した第１ベース部材６５の第１係止爪６８を、第１カバー部材６６の係止孔７０に係止することで、第１ベース部材６５および第１カバー部材６６は、前壁６５ａと後壁６６ａとが前後に離間して対向する状態で着脱自在に組み付けられる。また、第１ベース部材６５と第１カバー部材６６とを組み付けた状態で、第１ベース部材６５の壁部６５ｂが、第１カバー部材６６の壁部６６ｂ内に収容されて(図１３参照)、第１カバー部材６６の壁部６６ｂの前端が、第１ベース部材６５の前壁６５ａの前面と略同一面に位置するよう構成される。なお、実施例では、前記係合孔６９ａは、第１カバー部材６６の下側の壁部６６ｂから下方(外方)に突出して、前記パネルケース３８の規制凹部５９内に位置して位置規制するための規制突部６９に形成してある。
【００４１】
前記第１基板ケース６４には、第１ベース部材６５と第１カバー部材６６とを組み付けた状態で、該基板ケース６４の上面における左右両端部に、上方(外方)に延出する第１締結部７１,７１が突出している(図７参照)。各第１締結部７１は、第１ベース部材６５の締結片部７１ａと第１カバー部材６６の締結片部７１ｂとを、特殊な締結具によって締結して第１基板ケース６４が不正が開封されるのを防止するための部分であって、各第１締結部７１が前記パネルケース３８の後ケース体４５に設けた前記切欠部６０に対応するようになっている。なお、第１基板ケース６４における上下寸法(第１カバー部材６６の上側の壁部６６ｂの上面から下側の壁部６６ｂの下面までの長さ)は、前記後ケース体４５の後開口部４５ａの上下方向の開口寸法より小さく設定されている。すなわち、第１基板ケース６４は、第１締結部７１,７１、後述する第１係合部７２および規制突部６９等の第１カバー部材６６の壁部６６ｂから外方に延出する部分を除く本体部分が、後ケース体４５の後開口部４５ａ内に収まる寸法に設定されている(図１１参照)。
【００４２】
前記第１カバー部材６６における下側の壁部６６ｂの前端縁に、図１５に示す如く、両規制突部６９,６９の間において板状の第１係合部７２が下方(外方)に延出するよう形成されている。また、前記第１カバー部材６６における上側の壁部６６ｂの左右方向中央に、該第１カバー部材６６の前端縁から後方に退避した位置から上方(外方)に延出するように第１連結部７３が形成される。そして、第１基板ケース６４は、第１カバー部材６６の第１係合部７２を前記パネルケース３８(図柄表示装置１８)の第１被係合部５７に差込んで係合すると共に、各第１連結部７３を対応する第１被連結部５８に整合したもとで、第１連結部７３および第１被連結部５８を第１連結具(所謂ナイラッチ)７４で連結することで、図柄表示装置１８(パネルケース３８)に対して表示制御装置４２(第１基板ケース６４)が取り付けられる(図６参照)。なお、第１被係合部５７に差込まれた第１係合部７２の前端(第１基板ケース６４の前面)は、パネルケース３８における後ケース体４５の後フレーム部４５ｃの外面(裏面)より前側に位置するよう設定される(図１３参照)。
【００４３】
前記パネルケース３８の第１被係合部５７および第１被連結部５８は、該第１被係合部５７および第１被連結部５８に対応する第１係合部７２および第１連結部７３を介して第１基板ケース６４を取り付けた際に、該第１基板ケース６４の右端部が、前記後ケース体４５における右側の後フレーム部４５ｃの左端縁(後開口部４５ａを画成する端縁)より左側に位置するよう設定される(図１３では右側参照)。また、第１基板ケース６４における第１連結部７３を前端から後方に退避した位置に設けると共に、パネルケース３８に切欠部６０を設けることで、第１連結部７３を第１被連結部５８に連結した状態で、第１基板ケース６４は、図１１,図１３に示す如く、前端部が後フレーム部４５ｃに干渉することなく後ケース体４５の後開口部４５ａに入り込んだ状態でパネルケース３８に取り付けられるようになっている。なお、第１連結具７４による第１連結部７３と第１被連結部５８との連結を解除することで、表示制御装置４２は図柄表示装置１８から取り外すことができる(図７参照)。
【００４４】
(第１ケース突起７５について)
前記第１ベース部材６５における前壁６５ａには、図１５に示す如く、前面の下端部側に、前方に突出する第１ケース突起(突起)７５が左右方向に離間して複数設けられ、表示制御装置４２(第１基板ケース６４)を図柄表示装置１８(パネルケース３８)に取り付けた際に、該第１ケース突起７５が前記液晶パネル３７の裏面に当接して該液晶パネル３７と前壁６５ａの下端部との間に隙間を画成するよう構成される(図１１,図１３参照)。また、前記第１連結部７３が第１被連結部５８に連結された状態で、液晶パネル３７と前壁６５ａの上端部との間に隙間が画成されるよう設定されている。すなわち、パネルケース３８に第１基板ケース６４を取り付けた状態では、図１１に示す如く、前記後開口部４５ａに臨む液晶パネル３７の裏面と第１基板ケース６４との間に、上下方向の全長に亘って隙間が画成されるようになっている。
【００４５】
前記第１ベース部材６５の前壁６５ａおよび第１カバー部材６６の後壁６６ａには、図１５,図１６に示す如く、複数の空気孔(通孔)７６が穿設されている。また、第１カバー部材６６には、後壁６６ａと壁部６６ｂとの連設部、実施例では上下および左側の連設部に、後壁６６ａから壁部６６ｂに亘る空気孔(通孔)７６が複数形成されており、これら複数の空気孔７６を介して第１基板ケース６４内への外部空気の取り込みおよび内部空気の排出が可能に構成してある。
【００４６】
前記第１カバー部材６６の後壁６６ａにおける内面(第１基板ケース６４の一方の内面)には、複数箇所に後述する弾性体７９を配設するための配設ボス(装着部)７７が立設され(図１５参照)、該配設ボス７７には、雌ネジ７７ｂを内周に形成したネジ孔(通孔)７７ａが前方(突出端側)に開口するように形成されている。そして、複数の配設ボス７７に配設した弾性体７９を介して表示制御基板６３が、第１カバー部材６６に対して後壁６６ａから浮いた状態(直接接触しない離間状態)で配設されるよう構成される。
【００４７】
(止着部７８について)
前記表示制御基板６３には、複数箇所に止着部７８が形成され、該止着部７８に着脱自在に取り付けられた弾性体７９を介して、前記第１カバー部材６６の後壁６６ａに対して表示制御基板６３が直に接触しない状態で取り付けられる。各止着部７８は、図１５,図１６に示す如く、前記弾性体７９の後述する小径嵌合部７９ｃの直径より小さい開口寸法で表示制御基板６３の端縁側に開口する入口部７８ａと、該小径嵌合部７９ｃの直径と略同一内径の収容部７８ｂとを有する。表示制御基板６３に形成される各止着部７８は、前記第１カバー部材６６の後壁６６ａに突設した配設ボス７７と夫々対応している。
【００４８】
(弾性体７９について)
前記表示制御基板６３の各止着部７８に取り付けられる弾性体７９は、図１４または図１９に示すように全体が円筒状に形成され、軸中心に形成される通孔７９ａに、前記第１カバー部材６６に突設した配設ボス７７が挿通されるようになっている。弾性体７９は、軸方向の中間位置の外周に周溝７９ｂが形成され、該周溝７９ｂによって形成された小径嵌合部７９ｃの軸方向の両側に、該小径嵌合部７９ｃより大径円筒状の第１保持部７９ｄおよび第２保持部７９ｅが形成される。そして、小径嵌合部７９ｃを前記止着部７８の収容部７８ｂに嵌合して表示制御基板６３に取り付けた際に、該表示制御基板６３における前記第１カバー部材６６の後壁６６ａから離間する側の面(第１ベース部材６５側の面)に第１保持部７９ｄが当接すると共に、該表示制御基板６３における第１カバー部材６６の後壁６６ａと対向する側の面に第２保持部７９ｅが当接するよう構成される。また弾性体７９における通孔７９ａの長さは、前記配設ボス７７の後壁６６ａからの突出寸法より長く設定されている。なお、弾性体７９は、振動吸収性を有するウレタンゴム、その他高減衰特性を有する各種合成樹脂等を採用することができる。
【００４９】
(固定手段８０について)
前記弾性体７９を介して表示制御基板６３を第１カバー部材６６に取り付ける固定手段８０は、フランジ付きスリーブ８１およびフランジ付きネジ８２から構成される。フランジ付きスリーブ８１は、図１４に示す如く、前記弾性体７９の通孔７９ａに挿入可能な筒部８１ａと、該筒部８１ａの軸端に設けられて径方向外方に延出するフランジ部８１ｂとから構成され、筒部８１ａには軸方向に貫通する通孔８１ｃが形成されている。また、フランジ部８１ｂの後面からの筒部８１ａの突出寸法は、前記弾性体７９における通孔７９ａの長さより短かく、該筒部８１ａの突出寸法と前記配設ボス７７の後壁６６ａからの突出寸法との合計が、弾性体７９の軸方向長さ(通孔７９ａの長さ)と略同一に設定される。すなわち、表示制御基板６３に取り付けた弾性体７９の通孔７９ａに配設ボス７７を挿通させると共に、第２保持部７９ｅを第１カバー部材６６の後壁６６ａに接触させた状態で、弾性体７９の通孔７９ａにフランジ付きスリーブ８１の筒部８１ａを挿入して該筒部８１ａの突出端を配設ボス７７の突出端に当接することで、該フランジ付きスリーブ８１のフランジ部８１ｂが弾性体７９の第１保持部７９ｄに対して軽く接触または僅かに潰れた状態で接触するよう構成される。
【００５０】
前記フランジ付きネジ８２は、フランジ付きスリーブ８１の通孔８１ｃに挿通可能で、外周に雄ネジ８２ａが形成されたネジ部８２ｂと、該ネジ部８２ｂの軸端に設けられて径方向外方に延出するフランジ部８２ｃとから構成され、ネジ部８２ｂの長さは、通孔８１ｃの長さより長く設定される。そして、前記弾性体７９に筒部８１ａを挿入したフランジ付きスリーブ８１の通孔８１ｃにフランジ付きネジ８２のネジ部８２ｂを挿通し、該ネジ部８２ｂを配設ボス７７のネジ孔７７ａに螺挿することで、フランジ付きネジ８２のフランジ部８２ｃがフランジ付きスリーブ８１のフランジ部８１ｂに当接した状態で、該フランジ付きスリーブ８１が位置決め固定される。この状態で、図１４に示す如く、フランジ部８１ｂと表示制御基板６３とで第１保持部７９ｄを挟み、かつ後壁６６ａと表示制御基板６３とで第２保持部７９ｅを挟んだ状態で、第１カバー部材６６に表示制御基板６３が取り付けられる。実施例では、フランジ付きネジ８２のネジ部８２ｂが挿通部として機能し、配設ボス７７のネジ孔７７ａに形成された雌ネジ７７ｂが係合部として機能すると共に、フランジ付きネジ８２のネジ部８２ｂに形成された雄ネジ８２ａが被係合部として機能する。
【００５１】
(統括制御装置４３について)
前記統括制御装置４３は、前記可動装置や発光装置等を制御する統括制御基板(制御基板)８３を、図１７,図１８に示す第２基板ケース(基板ケース,部品)８４に収容保護してケース単位で取り扱い得るようになっている。この第２基板ケース８４は、前記図柄表示装置１８における液晶パネル３７の裏面に対向するようセットされる皿状の第２ベース部材８５と、この第２ベース部材８５の開口面側(後側)に対して着脱可能に組み付けられる第２ベース部材８５とから構成され、両者共に透明な合成樹脂材により一体成形されて、前記統括制御基板８３を第２カバー部材８６内に敷設状態で収容すると共に、前記第２カバー部材８６で覆蓋保護するよう構成される。
【００５２】
(第２基板ケース８４について）
図１２,図１３に示す如く、前記第２ベース部材８５は、前記図柄表示装置１８における前記後ケース体４５の後開口部４５ａに臨む液晶パネル３７に対向する矩形の平板状に形成された前壁８５ａと、該前壁８５ａの上下および左右の端縁から後方に向けて立設された壁部８５ｂとから、後方に開口する矩形皿状に形成されている。また、第２ベース部材８５の下側の壁部８５ｂに、左右方向に離間して複数(実施例では２つ)の第２係合片８７が下方(外方)に延出するよう形成されると共に、該第２ベース部材８５の上側の壁部８５ｂに第２係止爪８８が上方(外方)に向けて突設されている。これに対し、前記第２カバー部材８６は、第２ベース部材８５の前壁８５ａと対向する後壁８６ａと、該後壁８６ａの上下および左右の端縁から前方に向けて立設された壁部８６ｂとから、前方に開口する矩形皿状に形成されている。また、第２カバー部材８６の下側の壁部８６ｂの前端縁に、前記各第２係合片８７と対応する位置に下方(外方)に向けて突出する第２係合部８９が夫々形成されると共に、各第２係合部８９に第２係合片８７を挿脱可能な係合孔８９ａが形成されている。更に、第２カバー部材８６の上側の壁部８６ｂには、前記第２係止爪８８と対応する位置に、第２係止爪８８が係脱自在に係止される第２係止孔９０が形成されている。そして、各第２係合片８７を対応する係合孔８９ａに挿通して第２カバー部材８６に下端部が係合した第２ベース部材８５の第２係止爪８８を、第２カバー部材８６の第２係止孔９０に係止することで、第２ベース部材８５および第２カバー部材８６は、前壁８５ａと後壁８６ａとが前後に離間して対向する状態で着脱自在に組み付けられる(図１２参照)。また、第２ベース部材８５と第２カバー部材８６とを組み付けた状態で、図１３に示す如く、第２ベース部材８５の壁部８５ｂが、第２カバー部材８６の壁部８６ｂ内に収容されて、第２カバー部材８６の壁部８６ｂの前端が、第２ベース部材８５の前壁８５ａの前面と略同一面に位置するよう構成される。
【００５３】
前記第２基板ケース８４には、第２ベース部材８５と第２カバー部材８６とを組み付けた状態で、該基板ケース８４の上部左右両端部に第２締結部９１,９１が位置している。各第２締結部９１は、第２ベース部材８５の締結片部９１ａと第２カバー部材８６の締結片部９１ｂとを、特殊な締結具によって締結して第２基板ケース８４が不正が開封されるのを防止するための部分である。なお、第１基板ケース６４では第１締結部７１がケース上面から上方に突出しているが、第２基板ケース８４では第２締結部９１はケース上面から上方に突出していない。また、第２基板ケース８４における上下寸法(第２カバー部材８６の上側の壁部８６ｂの上面から下側の壁部８６ｂの下面までの長さ)は、前記後ケース体４５の後開口部４５ａの上下方向の開口寸法より小さく設定されている。
【００５４】
前記第２カバー部材８６における後壁８６ａの上部位置に、図１７に示す如く、該後壁８６ａの前端縁から後方に退避して第２連結部９２が形成される。そして、第２基板ケース８４は、第２カバー部材８６の第２係合部８９,８９を前記パネルケース３８(図柄表示装置１８)の第２被係合部６１,６１に差込んで係合すると共に、各第２連結部９２を対応する第２被連結部６２に整合したもとで、第２連結部９２および第２被連結部６２を第２連結具(所謂ナイラッチ)９３で連結することで、図柄表示装置１８(パネルケース３８)に対して統括制御装置４３(第２基板ケース８４)が取り付けられる。なお、第２被係合部６１に差込まれた第２係合部８９の前端(第２基板ケース８４の前面)は、パネルケース３８における後ケース体４５の後フレーム部４５ｃの外面(裏面)より前側に位置するよう設定される(図１２参照)。
【００５５】
前記パネルケース３８の第２被係合部６１および第２被連結部６２は、該第２被係合部６１および第２被連結部６２に対応する第２係合部８９および第２連結部９２を介して第２基板ケース８４を取り付けた際に、該第２基板ケース８４の左端部(図１３では右端部)が、前記後ケース体４５における左側の後フレーム部４５ｃの後側に重なるよう設定される。ここで、後ケース体４５における左側の後フレーム部４５ｃは、図９に示す如く、上側、下側および右側(図９では左側)の後フレーム部４５ｃに対して前側に凹んで設けられている。また、第２基板ケース８４における第２連結部９２は前端から後方に退避した位置に設けられており、第２連結部９２を第２被連結部６２に連結した状態で、第２基板ケース８４は、左側の後フレーム部４５ｃに重なる部分以外の前端部が、後フレーム部４５ｃに干渉することなく後ケース体４５の後開口部４５ａに入り込んだ状態でパネルケース３８に取り付けられるようになっている(図１２参照)。なお、第２連結具９３による第２連結部９２と第２被連結部６２との連結を解除することで、統括制御装置４３は図柄表示装置１８から取り外すことができる(図７参照)。
【００５６】
ここで、前記パネルケース３８の裏側に表示制御装置４２と統括制御装置４３とを並んで取り付けた状態で、図６に示す如く、第１基板ケース６４と第２基板ケース８４との対向する側面(壁部６６ｂ,８６ｂ)が略隙間なく近接するよう構成される。すなわち、前記パネルケース３８の後開口部４５ａの略全体を両基板ケース６４,８４で塞いで、該後開口部４５ａからパネルケース３８内に異物等が侵入するのを抑制し得るようになっている。
【００５７】
(第２ケース突起９４について)
前記第２ベース部材８５における前壁８５ａには、図１７に示す如く、前面の下端部側に、前方に突出する第２ケース突起(突起)９４が左右方向に離間して複数設けられ、統括制御装置４３(第２基板ケース８４)を図柄表示装置１８(パネルケース３８)に取り付けた際に、該第２ケース突起９４が前記液晶パネル３７の裏面に当接して該液晶パネル３７と前壁８５ａの下端部との間に隙間を画成するよう構成される(図１２,図１３参照)。また、前記第２連結部９２が第２被連結部６２に連結された状態で、液晶パネル３７と前壁８５ａの上端部との間に隙間が画成されるよう設定されている。すなわち、パネルケース３８に第２基板ケース８４を取り付けた状態では、図１２に示す如く、前記後開口部４５ａに臨む液晶パネル３７の裏面と第２基板ケース８４との間に、上下方向の全長に亘って隙間が画成されるようになっている。
【００５８】
前記第２カバー部材８６の後壁８６ａには、複数の空気孔(通孔)９５が穿設されている。また、第２カバー部材８６には、後壁８６ａと壁部８６ｂとの連設部、実施例では上下の連設部に、後壁８６ａから壁部８６ｂに亘る空気孔(通孔)９５が複数形成されており、これら複数の空気孔９５を介して第２基板ケース８４内への外部空気の取り込みおよび内部空気の排出が可能に構成してある。
【００５９】
(インバータ基板４１の取付部９６について)
前記パネルケース３８における後ケース体４５の上側の後フレーム部４５ｃの後面に、図１２に示す如く、インバータ基板４１が着脱自在に取り付けられる第３取付部９６が設けられている。そして、該第３取付部９６に取り付けられたインバータ基板４１は、後フレーム部４５ｃに対して着脱自在に取り付けられる保護カバー９７で覆われるよう構成される。なお、後フレーム部４５ｃに保護カバー９７を取り付けた状態で、該保護カバー９７は、前記統括制御装置４３の後端より後方に突出しないようになっている。
【００６０】
〔実施例の作用〕
次に、前述のように構成された実施例に係るパチンコ機１０の作用につき説明する。
【００６１】
(図柄表示装置１８と各制御装置４２,４３との位置関係について)
前記図柄表示装置１８に対して表示制御装置４２を取り付ける場合は、前記第１基板ケース６４の第１係合部７２を、前記パネルケース３８の前記第１被係合部５７に差込んで係合すると共に第１連結部７３を第１被連結部５８に整合したもとで、第１連結部７３および第１被連結部５８を第１連結具７４で連結することで、図柄表示装置１８(パネルケース３８)に対して表示制御装置４２(第１基板ケース６４)が取り付けられる。また、図柄表示装置１８に対して統括制御装置４３を取り付ける場合は、前記第２基板ケース８４の第２係合部８９,８９を、パネルケース３８の対応する前記第２被係合部６１,６１に差込んで係合すると共に第２連結部９２を第２被連結部６２に整合したもとで、第２連結部９２および第２被連結部６２を第２連結具９３で連結することで、図柄表示装置１８(パネルケース３８)に対して統括制御装置４３(第２基板ケース８４)が取り付けられる(図６参照)。
【００６２】
なお、前記パネルケース３８に取り付けられた第１基板ケース６４の下部は、前記第１被係合部５７の壁に第１係合部７２が当接することによって後方への変位が規制されると共に、図１１,図１３に示す如く、前記前壁６５ａの前面に突設した第１ケース突起７５が前記後開口部４５ａに露出する液晶パネル３７の裏面に当接することで前方への変位が規制される。また、パネルケース３８に取り付けられた第２基板ケース８４の下部についても、前記第２被係合部６１の壁に第２係合部８９が当接することによって後方への変位が規制されると共に、図１２,図１３に示す如く、前記前壁８５ａの前面に突設した第２ケース突起９４が前記後開口部４５ａに露出する液晶パネル３７の裏面に当接することで前方への変位が規制される。
【００６３】
前記パネルケース３８に対して取り付けられた表示制御装置４２は、第１基板ケース６４の前端部が、図１１,図１３に示す如く、前記後ケース体４５の後開口部４５ａ内に位置する。また、パネルケース３８に対して取り付けられた統括制御装置４３は、第２基板ケース８４の左端部が、パネルケース３８を構成する後ケース体４５における左側の後フレーム部４５ｃに重なるものの、該左側の後フレーム部４５ｃは、上側、下側および右側の後フレーム部４５ｃに対して前側に凹んで設けられている。従って、第２基板ケース８４についても、左側の後フレーム部４５ｃに重なる部分以外の前端部が、図１２,図１３に示す如く、後ケース体４５の後開口部４５ａ内に位置している。これにより、表示制御装置４２および統括制御装置４３の図柄表示装置１８の後方への突出寸法は、基板ケース６４,８４が後開口部４５ａ内に臨む前後寸法だけ小さくなる。すなわち、パチンコ機１０自体の前後寸法を変えることなく、表示制御装置４２および統括制御装置４３が取り付けられた図柄表示装置１８を後側にずらして、該図柄表示装置１８の前側のスペースを拡大することができる。このように図柄表示装置１８の前側にスペース的な余裕が生ずることで、図柄表示装置１８における表示面１８ａの前側に大型の可動体を配設することが可能となり、インパクトのある演出が可能となる。
【００６４】
(設置部材２７に対する図柄表示装置１８の取り付けについて)
前記設置部材２７に対して図柄表示装置１８を取り付ける場合は、前記図柄表示装置１８(パネルケース３８)の左側面に形成した一対の係止突部３９,３９を、設置部材２７に形成した対応の左規制壁３４ｃ,３４ｃの差込み口３４ｄ,３４ｄに挿入し、この状態で右側面が設置部材２７に近接するよう図柄表示装置１８を回転させる。そして、図柄表示装置１８の前面(前ケース体４４の前フレーム部４４ｃ)を設置部材２７の裏面に当接させた状態で、該図柄表示装置１８の支持部４０をロック部材３６で支持台部３５に固定することで、当該図柄表示装置１８が設置部材２７の設置領域Ｓに取り付けられる。
【００６５】
(図柄表示装置１８の放熱について)
実施例のパチンコ機１０では、前記図柄表示装置１８における後ケース体４５の後開口部４５ａ内に、前記表示制御装置４２および統括制御装置４３の前端部を収容して、各制御装置４２,４３の前面を前記液晶パネル３７の裏面に近接させている。ここで、前記第１基板ケース６４は、液晶パネル３７の裏面に当接する前記第１ケース突起７５および後フレーム部４５ｃから後方に突出する第１被連結部５８に当接状態で連結される第１連結部７３によって、図１１に示す如く、液晶パネル３７の裏面との間に、上下方向の全長に亘って隙間を画成している。また、前記第２基板ケース８４は、液晶パネル３７の裏面に当接する前記第２ケース突起９４および後フレーム部４５ｃから後方に突出する第２被連結部６２に当接状態で連結される第２連結部９２によって、図１２に示す如く、液晶パネル３７の裏面との間に、上下方向の全長に亘って隙間を画成している。すなわち、各制御装置４２,４３の前面は液晶パネル３７の裏面に密着しないので、液晶パネル３７の裏面からの放熱が制御装置４２,４３で阻害されるのを防止し得る。
【００６６】
図１１に示す如く、前記表示制御装置４２の第１基板ケース６４を構成する前壁６５ａおよび後壁６６ａには複数の空気孔７６が形成されており、液晶パネル３７の裏面から放出される熱を、前壁６５ａの空気孔７６から第１基板ケース６４の内部に取り入れ、後壁６６ａの空気孔７６から放出することができる。また、第１基板ケース６４には、上下の壁部６５ｂ,６６ｂに複数の空気孔７６,７６が形成されており、下側の空気孔７６から上側の空気孔７６へ抜ける空気の流通をスムーズに行なうことができるので、液晶パネル３７からの熱が第１基板ケース６４の内部に取り入れられても、第１基板ケース６４内に熱がこもるのを効果的に防止できる。
【００６７】
ここで、前記統括制御装置４３の第２基板ケース８４における前壁８５ａに、空気孔を設けていないが、前記後開口部４５ａの略半分の領域を覆っている表示制御装置４２の第１基板ケース６４における前壁６５ａに設けた多数の空気孔７６による放熱効果によって、液晶パネル３７からの放熱を充分を図り得る。なお、統括制御装置４３の第２基板ケース８４の前壁８５ａに空気孔を設けるようにしてもよい。
【００６８】
(表示制御基板６３の取り付けについて)
次に、前記表示制御装置４２における表示制御基板６３の第１カバー部材６６に対する取り付けについて説明する。表示制御基板６３に形成された各止着部７８の夫々に、前記弾性体７９を取り付ける。すなわち、弾性体７９の小径嵌合部７９ｃを、各止着部７８の入口部７８ａから収容部７８ｂに押し込むことで、表示制御基板６３を第１保持部７９ｄと第２保持部７９ｅとで挟んだ状態で、該弾性体７９は表示制御基板６３に取り付けられる(図１４参照)。そして、弾性体７９を取り付けた表示制御基板６３を、各種電子部品の実装面と反対側の面が前記第１カバー部材６６の後壁６６ａに対向する姿勢で、各弾性体７９の通孔７９ａに該後壁６６ａに突設した対応する配設ボス７７が挿通するようにして仮に取り付ける。
【００６９】
前記第１カバー部材６６に仮に取り付けられた表示制御基板６３の各弾性体７９の通孔７９ａに、第１保持部７９ｄ側から前記フランジ付きスリーブ８１の筒部８１ａを挿通し、該筒部８１ａの突出端を配設ボス７７の突出端に当接する。この状態で、図１４に示すす如く、フランジ付きスリーブ８１のフランジ部８１ｂが弾性体７９の第１保持部７９ｄに対して軽く接触または僅かに潰れた状態で接触する。そして、このフランジ付きスリーブ８１の通孔８１ｃにフランジ部８１ｂ側からフランジ付きネジ８２のネジ部８２ｂを挿通し、該ネジ部８２ｂを配設ボス７７のネジ孔７７ａに螺挿する。これにより、表示制御基板６３は、第１カバー部材６６の後壁６６ａに接触しない浮いた状態で取り付けられる。すなわち、第１基板ケース６４から伝わる振動を弾性体７９で吸収することができ、表示制御基板６３に伝わる振動を軽減して、電子部品の接触不良に起因する不具合等の発生を抑制し得る。
【００７０】
また、実施例の第１基板ケース６４では、表示制御基板６３を第１基板ケース６４に対して非接触状態で支持する弾性体７９が嵌挿される配設ボス７７を後壁６６ａからケース内方に向けて突設したので、該配設ボス７７がケース外に突出することで第１基板ケース６４の前後方向の幅寸法が大きくなるのを抑制することができる。すなわち、前記図柄表示装置１８に取り付けられる表示制御装置４２(第１基板ケース６４)自体の前後寸法を小さくできるので、図柄表示装置１８の裏側に必要となる前後方向の寸法を小さく抑えることができる。従って、図柄表示装置１８の裏側に必要となる前後方向の寸法を小さく抑えることができる分だけ、パチンコ機１０全体の前後寸法を変えることなく、図柄表示装置１８における表示面１８ａの前側に寸法的な余裕ができ、該表示面１８ａの前側により大型の可動体を配設してインパクトのある演出を可能とし得る。
【００７１】
(変更例)
本願は前述した実施例の構成に限定されるものではなく、その他の構成を適宜に採用することができる。
(1) 実施例では、図柄表示装置に対して前後に重なるように取り付けられる部品として、制御基板を収容した基板ケースを挙げたが、該部品はこれに限られるものでなく、パチンコ機(遊技機)を構成するその他各種の遊技部品であってもよい。また図柄表示装置に対して前後に重なる部品は、１つでも３つ以上であってもよい。
(2) 実施例では、統括制御装置における第２基板ケースの一部(左端部)が後ケース体の後フレーム部に重なるように構成したが、表示制御装置の第１基板ケースと同様に、第２カバー部材の壁部から外方に延出する部分(第２係合部)を除く本体部分を、後ケース体の後開口部内に収まる寸法に設定して、パネルケースに第２基板ケースを取り付けた状態で、該第２基板ケースの本体部分の前端部が全て後開口部内に位置する構成を採用し得る。
(3) 実施例では、第１基板ケースおよび第２基板ケースについて、前壁に設けた突起および連結部によって液晶パネルとの間に隙間を設けるようにしたが、前壁の上下位置に突起を夫々設けることで、液晶パネルとの間に隙間を設ける構成を採用することができる。
(4) 実施例では、第１基板ケースや第２基板ケースに、液晶パネルとの間に隙間を画成するための突起を設けたが、液晶パネルの裏面に突起を設けるようにしてもよい。また、基板ケースおよび液晶パネルの両方に突起を設ける構成であってもよい。
(5) 実施例では、基板ケースに設けた突起を液晶パネルの裏面に直接当接するよう構成したが、液晶パネルの裏面にフィルム等の傷防止材を貼着して突起の当接による傷付きを防止するようにしてもよい。
(6) 実施例では、パネルケースを、枠状に形成した前ケース体および後ケース体で構成したが、前ケース体については、前開口部が設けられていない皿状であってもよく、液晶パネルの表示面を覆う部分が該表示面を前側から視認可能な透明になっていればよい。
(7) 実施例では、表示制御基板を第１カバー部材に対して弾性体を介して取り付けるよう構成したが、第１ベース部材の前壁に配設ボスを内方に向けて突設し、該配設ボスに弾性体を嵌挿して表示制御基板を第１ベース部材に取り付けるよう構成してもよい。
(8) 実施例では、第１基板ケースにおけるフラットな内面に配設ボスを立設したが、内面を所要深さ窪ませ、該窪みに弾性体の一部が収容された状態で配設ボスに嵌挿される構成を採用し得る。例えば、図２０に示す如く、第１基板ケース６４を構成する第１ベース部材６５の前壁６５ａの内面に、後方(第１カバー部材６６側に開口する)する窪み９８を設け、該窪み９８に配設ボス７７をケース内方に向けて突設する。この構成では、配設ボス７７に嵌挿した弾性体７９における第２保持部７９ｅの一部を窪み９８内に収容することができ、前壁６５ａの内面からの弾性体７９の突出寸法を小さくすることができる。すなわち、表示制御基板６３や該表示制御基板６３に実装される各種電子部品をケースに接触させることなく収容するために必要となるケース内の前後寸法を小さくすることができるので、第１基板ケース６４自体の前後寸法も小さく抑えることが可能となる。なお、実施例のように第１カバー部材の後壁に配設ボスを立設する場合は、該後壁に窪みを設ければよい。図２０において実施例と同じ部材には同じ符号を付してある。
(9) 実施例では、制御基板を基板ケースに対して弾性体を介して固定する固定手段を、別体のフランジ付きスリーブおよびフランジ付きネジから構成したが、フランジ付きスリーブとフランジ付きネジとを一体化した構成の固定手段であってもよい。また、配設ボスの突出寸法を、弾性体の軸方向長さと略同一に設定することで、フランジ付きスリーブを省略することができる。すなわち、フランジ付きネジのフランジ部を直に弾性体の端面に接触させて位置決め固定する構成を採用し得る。
(10) 実施例では、配設ボスに対して弾性体をネジを介して固定するよう構成したが、該弾性体を固定する手段はネジに限らず、弾性変形可能な爪等を備えた係合具等であってもよい。すなわち、例えば、配設ボスに形成した通孔の内部に爪(被係合部)が係合可能な段部(係合部)を形成し、通孔に挿通した爪を段部に係止することで、配設ボスに対して弾性体を位置決め固定する構成を採用し得るものであって、係合部および被係合部はその他公知の手段を採用し得るものである。
(11) 実施例では、基板ケースにおける前面(液晶パネルの裏面と対向する面)を略フラットな形状としたが、前端面から後側に凹んで前側および上側に開放する凹部を形成してもよい。図２１は、第１基板ケース６４の前壁６５ａに、前端面から後側に凹んで前側および上下に開放する凹部９９を形成した例を示すものであって、この構成によれば、第１基板ケース６４をパネルケース３８に取り付けた状態で、液晶パネル３７の裏面と第１基板ケース６４の前面との間には凹部９９によって放熱用の空間が画成される。従って、液晶パネル３７の裏面から放出される熱を、該凹部９９を介して上方に効率的に逃すことができ、液晶パネル３７の第１基板ケース６４(表示制御装置４２)との間に熱がこもるのを効果的に防止することができる。なお、第２基板ケースの前壁に凹部を設けるようにしてもよいことは勿論である。図２１において実施例と同じ部材には同じ符号を付してある。
(12) 遊技機としては、パチンコ機に限られるものではなく、アレンジボール機やパチンコ球を用いたスロットマシン等、その他各種の遊技機であってもよい。
【符号の説明】
【００７２】
１８ 図柄表示装置，１８ａ 表示面(表示部)，３７ 液晶パネル(表示手段)
３８ パネルケース(ケース)，４４ 前ケース体，４５ 後ケース体
４５ａ 後開口部(開口部)，４５ｃ 後フレーム部(後壁)
６３ 表示制御基板(制御基板)，６４ 第１基板ケース(基板ケース,部品)
６５ａ 前壁，６６ａ 後壁，７５ 第１ケース突起(突起)，７６ 空気孔(通孔)
７７ 配設ボス(装着部)，７７ａ ネジ孔(通孔)，７７ｂ 雌ネジ(係合部)
７９ 弾性体，８０ 固定手段，８１ｂ フランジ部，８２ａ 雄ネジ(被係合部)
８２ｂ ネジ部(挿通部)，８３ 統括制御基板(制御基板)
８４ 第２基板ケース(基板ケース,部品)，８６ａ 後壁，９４ 第２ケース突起(突起)
９５ａ 空気孔(通孔)，９９ 凹部
【図１】
2014061028.tif 000003
【図２】
2014061028.tif 000004
【図３】
2014061028.tif 000005
【図４】
2014061028.tif 000006
【図５】
2014061028.tif 000007
【図６】
2014061028.tif 000008
【図７】
2014061028.tif 000009
【図８】
2014061028.tif 000010
【図９】
2014061028.tif 000011
【図１０】
2014061028.tif 000012
【図１１】
2014061028.tif 000013
【図１２】
2014061028.tif 000014
【図１３】
2014061028.tif 000015
【図１４】
2014061028.tif 000016
【図１５】
2014061028.tif 000017
【図１６】
2014061028.tif 000018
【図１７】
2014061028.tif 000019
【図１８】
2014061028.tif 000020
【図１９】
2014061028.tif 000021
【図２０】
2014061028.tif 000022
【図２１】
2014061028.tif 000023